(57)【要約】【課題】気化器の絞り弁操作装置で遠隔及び手動操作に容易に対応し得るようにする。【解決手段】ロータリ式気化器における回動弁体３のレバー部材４には遠隔操作時にワイヤを連結するための係合部材を支持するための支持孔４ａを設けられ、手動操作用とする場合には、手動操作レバー１５を支持するブラケット１３を気化器本体１にねじ止めする。手動操作レバーの主軸には支持孔に係合する係合アーム２１を設け、手動操作レバーにより直接的に回動弁体を回動可能にする。遠隔操作用の場合にはブラケットを取り付けずにレバー部材に係合部材を組み付けることによりワイヤを介しての遠隔操作が可能になる。これにより、絞り弁と一体のレバー部材を共用することができ、手動操作用と遠隔操作用とのそれぞれに対して絞り弁をアッセンブリ交換する必要が無く、それぞれに対して容易に対応できかつ組み立て性を向上し得る。【選択図】図１
2006200456.tif 000002
【特許請求の範囲】
【請求項１】
気化器本体に回動自在に設けられた絞り弁の開閉弁操作をワイヤを介した遠隔操作と手により直接的に操作する手動操作とに分けて組み立てられる気化器の絞り弁操作装置であって、
前記気化器本体の外方にて前記絞り弁と一体に回動するように前記絞り弁の弁軸にレバー部材が固着されていると共に、
前記手動操作の場合には、前記気化器本体に取り付けられたブラケットと、前記ブラケットに回動自在に支持された手動操作レバーと、前記ブラケットの取り付け状態で前記手動操作レバーと前記レバー部材とを連動させるべく両者間に設けられたレバー連動手段とを有し、
前記遠隔操作の場合には、前記ワイヤの一端部を連結するためのワイヤ連結手段が前記レバー部材に設けられることを特徴とする気化器の絞り弁操作装置。
【請求項２】
前記ワイヤ連結手段が、前記ワイヤの一端部に設けられたフック部材を係合するための係合部材と、前記係合部材を前記弁軸と平行な軸線回りに回動自在に支持するために前記レバー部材に設けられた支持孔とを有し、
前記レバー連動手段が、前記ブラケットの取り付け状態で前記支持孔に係合するように前記手動操作レバーに一体に設けられた係合アームを有することを特徴とする請求項１に記載の気化器の絞り弁操作装置。
【請求項３】
前記ブラケットが、前記気化器本体の対角方向であって前記レバー部材の回転半径の内側にて前記気化器本体にねじ止めされ、かつ前記取り付け状態で前記レバー部材を跨ぐ形状に形成されていると共に、前記ブラケットに前記ねじ止め時に工具を挿通するための工具挿通孔が設けられていることを特徴とする請求項１または請求項２に記載の気化器の絞り弁操作装置。
【発明の詳細な説明】
【技術分野】
【０００１】
本発明は、気化器の絞り弁操作装置に関するものである。
【背景技術】
【０００２】
従来、小型汎用内燃機関に用いられる気化器において、その吸気道に直交する軸線方向に横切りかつその軸線回りに回動自在な円柱状の絞り弁を設けると共にその絞り弁には半径方向に貫通する混合気通路を設け、絞り弁の回動により吸気道を開閉弁するようにしたロータリ絞り弁式気化器がある（例えば特許文献１参照）。なお、燃料ノズルは絞り弁と同軸にかつ混合気通路内に突出するように設けられている。
【０００３】
【特許文献１】特開昭６４−６９７６３号公報
【発明の開示】
【発明が解決しようとする課題】
【０００４】
上記したような気化器の絞り弁操作装置における絞り弁を開閉弁操作する構造として、弁軸に固着された半径方向外向きの弁操作レバーと、その弁操作レバーの延出端部に弁軸と平行な軸線回りに回動自在に設けられた係合部材と、係合部材に端部を連結された遠隔操作用ワイヤとにより構成されたスイベル機構がある。このようにして、気化器の遠隔操作を容易に行うことができる。
【０００５】
一方、内燃機関を定置状態で使用する場合があり、その場合には弁操作レバーを直接操作することができる。またそのような使用方法の需要があることから、定置用機関用気化器の場合には、弁操作レバーを直接手動操作可能にするためにつまみを設けた形状のものに代えるなどしていた。
【０００６】
このように従来の小型汎用内燃機関用の気化器の絞り弁操作装置にあっては、遠隔操作用と直接操作用とで異なる弁操作レバーを組み付けたアッセンブリを用意し、仕様違いに応じてアッセンブリで交換して組み立てていたため、組み立てが煩雑化し、また製造コストが高騰化するという問題があった。
【課題を解決するための手段】
【０００７】
このような課題を解決して、遠隔及び直接な手動操作のそれぞれに対して容易に対応し得る簡単な構造の気化器の絞り弁操作装置を実現するために本発明に於いては、気化器本体に回動自在に設けられた絞り弁の開閉弁操作をワイヤを介した遠隔操作と手により直接的に操作する手動操作とに分けて組み立てられる気化器の絞り弁操作装置であって、前記気化器本体の外方にて前記絞り弁と一体に回動するように前記絞り弁の弁軸にレバー部材が固着されていると共に、前記手動操作の場合には、前記気化器本体に取り付けられたブラケットと、前記ブラケットに回動自在に支持された手動操作レバーと、前記ブラケットの取り付け状態で前記手動操作レバーと前記レバー部材とを連動させるべく両者間に設けられたレバー連動手段とを有し、前記遠隔操作の場合には、前記ワイヤの一端部を連結するためのワイヤ連結手段が前記レバー部材に設けられるものとした。
【０００８】
特に、前記ワイヤ連結手段が、前記ワイヤの一端部に設けられたフック部材を係合するための係合部材と、前記係合部材を前記弁軸と平行な軸線回りに回動自在に支持するために前記レバー部材に設けられた支持孔とを有し、前記レバー連動手段が、前記ブラケットの取り付け状態で前記支持孔に係合するように前記手動操作レバーに一体に設けられた係合アームを有すると良い。また、前記ブラケットが、前記気化器本体の対角方向であって前記レバー部材の回転半径の内側にて前記気化器本体にねじ止めされ、かつ前記取り付け状態で前記レバー部材を跨ぐ形状に形成されていると共に、前記ブラケットに前記ねじ止め時に工具を挿通するための工具挿通孔が設けられていると良い。
【発明の効果】
【０００９】
このように本発明によれば、手動操作用の場合には絞り弁と一体のレバー部材と連動可能にした手動操作レバーをブラケットと共に気化器本体に取り付けることにより手動操作レバーを直接手動操作してレバー部材を回動させることができ、遠隔操作用の場合にはブラケットを取り付けずにレバー部材にワイヤ連結手段を設けることによりワイヤを介しての遠隔操作が可能になる。これにより、絞り弁と一体のレバー部材を共用することができ、手動操作用と遠隔操作用とのそれぞれに対して絞り弁をアッセンブリ交換する必要が無く、それぞれに対して容易に対応できかつ組み立て性を向上し得る。
【００１０】
特に、遠隔操作用のワイヤを連結するための係合部材を支持するべくレバー部材に設けた支持孔に、手動操作レバーに設けた係合アームを係合させることにより、手動操作レバーとレバー部材とを一体的に連動させることができ、手動操作レバーを支持するブラケットを気化器本体に取り付けるという簡単な取り付け構造で下記を手動操作用のものとして組み立てることができる。
【００１１】
また、ブラケットを気化器本体の対角方向にてかつレバー部材の回転半径の内側にてねじ止めすることにより、気化器本体にブラケットを取り付けた状態でブラケットの気化器本体からの外方突出量をできるだけ抑えて気化器をコンパクト化し得ると共に、ブラケットに工具挿通孔を設けることによりブラケットの内側に位置するねじを何ら問題なく工具により回すことができる。
【発明を実施するための最良の形態】
【００１２】
以下、本発明の実施の形態を、図面を参照しながら説明する。図１は本発明が適用された例えば汎用小型内燃機関に適する気化器の全体を示す要部破断正面図であり、直接的に手により操作する手動操作用として組み立てられたものである。
【００１３】
図示例のものにあっては、気化器本体１に図における表裏方向に貫通する吸気道２が設けられており、その吸気道２の軸線に直交する軸線回りに回動自在に絞り弁としての回動弁体３が設けられている。回動弁体３には回動角度に応じて吸気道２を全閉状態から全開状態にするように混合気通路３ａが設けられている。
【００１４】
回動弁体３には気化器本体１の図における上側の外方に突出する弁軸３ｂが一体かつ同軸に設けられており、その突出端部には半径方向外向きに延出されたレバー部材４が固着されている。気化器本体１には回動弁体３を受容しかつ回動自在に支持する弁体支持孔１ａが設けられている。なお、弁体支持孔１ａは、組み立て時に回動弁体３を挿入可能にするために気化器本体１の図における上方に開口している。気化器本体１の上面には、弁体支持孔１ａの開口を塞ぐと共に弁軸３ｂを軸支するための蓋体５が取り付けられている。
【００１５】
また、気化器本体１の回動弁体３の図における下側部分に突設されかつその突出端部を混合気通路３ａ内に臨ませるチューブ状の燃料ノズル６が設けられている。混合気通路３ａ内の燃料ノズル６と対向する側には燃料ノズル６に向けて垂下するように弁軸３ｂに同軸に燃料調整針弁７が固設されており、その先端部が燃料ノズル６に没入している。燃料ノズル６の周壁には、燃料調整針弁７の先端部と軸線方向に重なる位置に噴出口６ａが開設されている。
【００１６】
このようなロータリ絞り弁式気化器にあっては、回動弁体３の回動角度により吸気道２の開弁量が制御されると共に、その開弁量に応じた燃料噴出量を制御するために上記噴出口６ａの開口量を燃料調整針弁７の軸線方向変位により変えるようにしている。図示例では、回動弁体３の図における下面と気化器本体１の対応する部分（弁体支持孔１ａの底面）との間に、回動弁体３をその回動角度に応じて軸線方向に変位させるカム機構８が設けられている。カム機構８としては、回動弁体３の下面に斜面からなるカム面を形成し、気化器本体１側にカム面に相対的に摺接する摺接部材を設けている。
【００１７】
また、気化器本体１の内部であって蓋体５と回動弁体３との間には、回動弁体３を全閉位置に弾発付勢するねじリコイルばねの作用をすると共に回動弁体３のカム面を気化器本体１側の摺接部材に弾発的に押し付けるための圧縮コイルばね９が介装されている。
【００１８】
気化器本体１の下部には、燃料制御室体１１と大気圧室体１２とが一体的に組み付けられている。燃料制御室体１１には燃料ノズル６に連通する燃料制御室１１ａが設けられ、大気圧室体１２には、燃料供給圧を一定状態にするべく燃料制御室１１ａに対してダイヤフラムを介して隣接する大気圧室１２ａが設けられている。燃料制御室１１ａには図示されない燃料ポンプから燃料が供給されるようになっている。
【００１９】
次に、図示例の手動操作機構について示す。気化器本体１の図における上面には板状体を扁平逆Ｕ字状に形成したブラケット１３が取り付けられている。ブラケット１３の両脚部となる部分の先端部が互いに対向する内向きに所定の長さ分だけ曲折されており、それら両先端部が取り付けねじ１４によりそれぞれ気化器本体１に固定されている。
【００２０】
ブラケット１３はレバー部材４を跨ぐように設けられており、ブラケット１３の両脚部はレバー部材４の回動と干渉しない位置に立設されるように形成されている。例えばブラケット１３を左右対称形にした場合には、両脚部の内面間長さＷがレバー部材４の最大回転半径Ｒの２倍より大きく（Ｗ＞２Ｒ）されている。
【００２１】
ブラケット１３には、気化器本体１への取り付け状態で弁軸３ｂ上に位置すると共に弁軸３ｂの軸線回りに回動自在に支持された手動操作レバー１５が設けられている。その回動支持構造にあっては種々のものがあり、図示例では、手動操作レバー１５の回動軸となる主軸１５ａにおけるブラケット１３より弁軸３ｂ側となる部分が拡径され、その拡径部とブラケット１３との間には座金１６が配置され、ブラケット１３を挟んで弁軸３ｂ側とは相反する側にはカラー１７が配置され、カラー１７の抜け方向側にサークリップ１８が組み付けられて、カラー１７と座金１６とによりブラケット１３をある程度の圧接力をもって挟持するようにしている。カラー１７及び座金１６とブラケット１３との摩擦抵抗により、手動操作レバー１５を任意の回動位置に保持することができる。
【００２２】
なお、レバー部材４には、図３に示されるように遠隔操作用の場合に用いられるワイヤ１９の先端部に固着されているフック部材１９ａを係合する係合部材２０を取り付けるための支持孔４ａが設けられている。これら支持孔４ａ及び係合部材２０によりワイヤ連結手段が構成されている。ワイヤ１９の他端は、離れた位置に設けられている図示されないアクセル操作レバー等に連結される。なお、フック部材１９ａ及び係合部材２０は、気化器におけるスロットル弁操作用ワイヤの連結構造で一般的なスイベル機構を構成するものであり、その詳細な形状の説明は省略する。
【００２３】
手動操作レバー１５の主軸１５ａには、図４に併せて示されるように、半径方向外向きに所定長延出してからレバー部材４側に曲折された係合アーム２１が固着されており、その係合アーム２１の先端部が上記支持孔４ａに没入されている。これにより、係合アーム２１と支持孔４ａとが手動操作レバー１５の回動方向に係合し、手動操作用の場合には手動操作レバー１５とレバー部材４とが一体的に回動し得るようになっている。このようにしてレバー連動手段が構成されている。
【００２４】
また上記図示例では、手動操作用の場合には遠隔操作用の係合部材２０を取り付けない形態を示したが、係合部材２０を取り付けた形態でレバー連動手段を構成するようにしても良い。例えば図５に示されるように、係合アーム２１の先端に、係合部材２０に被せるような有底筒状のキャップ部材２２を設けても良い。このようにしても上記と同様に手動操作が可能である。
【００２５】
上記した係合部材２０を取り付けない場合には、組み立て作業において係合部材２０が取り付けられていないものに対しては手動操作用であることが分かり、誤組み立てを防止する効果がある。また、係合部材２０を取り付けている場合には、使用において遠隔操作と手動操作とをブラケット１３の着脱により容易に対応でき、両操作を使い分ける要求に対応することができる。
【００２６】
なお、本気化器にあっては始動装置が設けられている。図示例では、蓋体５に一体成形された壁状の支持部５ａに、レバー部材４の回動軸線に対して直交する向きの軸線回りに回動し得るように始動レバー２３が設けられている。始動レバー２３は、戻しばね２４により初期位置に向けて回動するように弾発付勢されている。始動レバー２３の軸線方向先端部にはカム部２３ａが設けられており、レバー部材４にはその一部を曲折して形成した係合爪４ｂが設けられており、始動レバー２３の初期位置からの回動によりカム部２３ａと係合爪４ｂとが係合し得るようにされている。
【００２７】
通常操作状態におけるレバー部材４の回動にあっては係合爪４ｂとカム部２３ａとは互いに衝当しないようにレバー部材４の軸線方向に互いに離間している。全閉位置にレバー部材４がある時に始動レバー２３を所定角度回動することにより、カム部２３ａが係合爪部４ｂを介してレバー部材４を所定量持ち上げ、さらに図示されないストッパにより規制された限度まで回動することにより持ち上げた状態でレバー部材４を開弁方向に所定角度だけ回動させるようになっている。これにより、始動時の燃料増量及び開弁量を設定することができる。
【００２８】
また、図示例のように気化器本体１における吸気道２の軸線方向に対する長さＢがコンパクト化されて短い場合には、その方向にブラケット１３の長手方向を合わせて配設すると、上記したようにブラケット１３をレバー部材４と干渉しない長さにする必要があるため、気化器本体１の外方にブラケット１３が大きく張り出すようになる。気化器本体１を内燃機関に組み付け場合にその張り出しが他の部品と干渉する虞が生じる。
【００２９】
それに対して、本願発明のようにブラケット１３の長手方向を気化器本体１に対して対角方向に合わせるように配設することにより上記張り出しを最小限とすることができる。また、気化器本体１の部品単位で取り扱う場合の平面視におけるスペース効率も高く、組み付け前に並べておく場合などの取り扱い性が良い。
【００３０】
また、ブラケット１３の気化器本体１への取り付けは、図示例では各脚部にてねじ止めすることにより行っている。上記したように外方への張り出しをできるだけ抑えるために、ブラケット１３の両脚部の先端部同士を互いに対向する内向きに曲折している。そのねじ止め作業において、ねじ１４を工具で回す場合にはブラケット１３の天板部が上方からの工具のアクセスに対して邪魔となる。
【００３１】
そのため、ブラケット１３における各ねじ１４の上方に位置する部分にはドライバなどの工具を挿通可能にする工具挿通孔１３ａがそれぞれ設けられている。ブラケット１３のねじ止め時にはその工具挿通孔１３ａ例えばドライバの軸を挿通させてねじ１４を容易に回すことができる。このようにすることにより、上記したようにブラケット１３の脚部のねじ止め用先端部を内向きに曲折することができ、ブラケット１３において外方に突出する部分が無いため、手動操作のためにブラケット１３を取り付けた状態をコンパクト化し得る。
【００３２】
なお、手動操作用の場合には手動操作レバー１５が弁軸３ｂの真上に位置するようになるため、燃料調整針弁７の軸線方向位置を調整できるように主軸１５ａには軸線方向に貫通する貫通孔１５ｂが設けられている。これにより、弁軸３ｂに対してねじ込まれた状態で保持されている燃料調整針弁７に対して、貫通孔１５ｂに工具を差し込んで回すことができ、燃料調整針弁７の軸線方向位置を調整することができる。
【図面の簡単な説明】
【００３３】
【図１】本発明が適用された例えば汎用小型内燃機関に適する気化器の全体を示す要部破断正面図である。
【図２】図１の矢印II線から見た上面図である。
【図３】遠隔操作用の場合の組み立て要領を示す要部斜視図である。
【図４】手動操作用の場合を示す要部斜視図である。
【図５】手動操作用の他の例における組み立て要領を示す要部斜視図である。
【符号の説明】
【００３４】
１  気化器本体
３  回動弁体、３ｂ  弁軸
４  レバー部材、４ａ  支持孔
１３  ブラケット、１３ａ  工具挿通孔
１４  ねじ
１５  手動操作レバー
１９  ワイヤ、１９ａ  フック部材
２０  係合部材
２１  係合アーム
【図１】
2006200456.tif 000003
【図２】
2006200456.tif 000004
【図３】
2006200456.tif 000005
【図４】
2006200456.tif 000006
【図５】
2006200456.tif 000007